(57)【要約】      （修正有）【課題】液晶表示素子等を用いた電子ビューファインダーにおいて、表示素子及び接眼レンズを配置可能なバックフォーカスを有しながらも、高倍率でハイアイポイントを可能にしたファインダー光学系を提供する。【解決手段】表示素子１側から順に、負の第１レンズ群と、正の第２レンズ群と、負の第３レンズ群を有する接眼レンズであり、下記の条件式を満足することを特徴としたファインダー光学系。−２．３＜ｆ１／ｆ＜−１．５、−１．３＜ｆ３／ｆ＜−０．９、ここで、ｆ１は負の第１レンズ群の焦点距離、ｆ３は負の第３レンズ群の焦点距離、ｆはファインダー全系の焦点距離を表す。【選択図】図１
2016014795.tif 000002
【特許請求の範囲】
【請求項１】
液晶表示素子の表示手段を用いた電子ビューファインダーであって、
前記表示素子側から順に、負の第１レンズ群と、
正の第２レンズ群と、
負の第３レンズ群を有する接眼レンズであり、
下記の条件式を満足することを特徴とするファインダー光学系。
−３．３＜ｆ１／ｆ＜−１．５  ・・・（１）
−１．３＜ｆ３／ｆ＜−０．７  ・・・（２）
ここで、ｆ１は前記負の第１レンズ群の焦点距離
ｆ３は前記負の第３レンズ群の焦点距離
ｆはファインダー全系の焦点距離
【請求項２】
前記正の第２レンズ群は少なくとも３枚以上の正レンズから構成されていることを特徴とする請求項１に記載のファインダー光学系。
【請求項３】
前記正の第２レンズ群の最も第３レンズ群側の正レンズは前記表示素子側に凸面を向けたメニスカスレンズであることを特徴とする請求項１又は請求項２に記載のファインダー光学系。
【請求項４】
前記負の第３レンズ群は１枚の負レンズにより構成され、
該負レンズは前記表示素子側に凸面を向けた負メニスカスレンズであることを特徴とする請求項１乃至請求項３の何れか一項に記載のファインダー光学系。
【発明の詳細な説明】
【技術分野】
【０００１】
本発明は、ファインダー光学系に関し、特に液晶表示素子等を用いた電子ビューファインダーに好適なファインダー光学系に関するものである。
【背景技術】
【０００２】
従来から、ファインダー光学系（以下「ファインダー」ともいう。）においては、観察倍率が大きく且つアイレリーフが十分に長いものが求められる。ファインダー光学系として、観察倍率を大きくしようとしたものや、アイレリーフを十分に長くしようとしたものが従来から各種提案されている（特許文献１、２）。
【０００３】
特許文献１では、対物レンズ側から順に負の屈折力を有する第１レンズ群、正の屈折力を有する第２レンズ群より構成され、前記第１レンズ群と第２レンズ群の間に一次結像面を有したファインダー光学系が開示されている。上記特許文献１では前記負の屈折力を有する第１レンズ群の屈折力を所定の屈折力にすることで、ハイアイポイント化を図っている。
【０００４】
また、特許文献２では物体側から順に、物体側に凹面を向けた負メニスカスレンズと、物体側に凹面を向けた正メニスカスレンズを貼り合わせた負メニスカスレンズと、両凸レンズ、両凸レンズと両凹レンズを貼り合わせた負メニスカスレンズで構成されたファインダー光学系が開示されている。上記特許文献２では前記各レンズ面の屈折力を所定の屈折力にすることで、物体面から最も物体側のレンズ面までの距離（以下、バックフォーカスと呼ぶ）を長くとりながらも、高倍率化、ハイアイポイント化を図っている。
【先行技術文献】
【特許文献】
【０００５】
【特許文献１】特開２００８−３６１４０号公報
【特許文献２】特公昭６０−４７５７０号公報
【発明の概要】
【発明が解決しようとする課題】
【０００６】
しかしながら、上述の特許文献１に開示された従来技術では、前記一次結像面が前記第２レンズ群に近い。そのため、前記第２レンズ群を電子ビューファインダーに適用しようとした場合に、表示素子と接眼レンズとの間隔が近くなりすぎるため。接眼レンズの配置が困難となる。
【０００７】
また、上記特許文献２に開示された技術では、バックフォーカスが長いが電子ビューファインダーに適用しようとした場合には、必要以上にバックフォーカスが長く十分な倍率を得ることが困難となる。
【０００８】
そこで、本発明の目的は、液晶表示素子等を用いた電子ビューファインダーにおいて、表示素子及び接眼レンズを配置可能なバックフォーカスを有しながらも、高倍率でハイアイポイントを可能にしたファインダー光学系を提供することである。
【課題を解決するための手段】
【０００９】
上記目的を達成するために、本発明は、液晶表示素子等の表示手段を用いた電子ビューファインダーであって、前記表示素子側から順に、負の第１レンズ群と正の第２レンズ群と負の第３レンズ群を有する接眼レンズであり、下記の条件式を満足することを特徴としたファインダー光学系である。
【００１０】
−３．３＜ｆ１／ｆ＜−１．５  ・・・（１）
−１．３＜ｆ３／ｆ＜−０．７  ・・・（２）
ここで、ｆ１は前記負の第１レンズ群の焦点距離、ｆ３は前記負の第３レンズ群の焦点距離、ｆはファインダー全系の焦点距離を表す。
【発明の効果】
【００１１】
本発明によれば、液晶表示素子等を用いた電子ビューファインダーにおいて、表示素子及び接眼レンズを配置可能なバックフォーカスを有しながらも、高倍率でハイアイポイントを可能にしたファインダー光学系を提供することができる。
【図面の簡単な説明】
【００１２】
【図１】本発明のファインダー光学系を一眼レフカメラに適用したときの要部断面図
【図２】本発明の数値実施例１の光路を展開したときの断面図
【図３】本発明の数値実施例１の収差図
【図４】本発明の数値実施例２の光路を展開したときの断面図
【図５】本発明の数値実施例２の収差図
【図６】本発明の数値実施例３の光路を展開したときの断面図
【図７】本発明の数値実施例３の収差図
【発明を実施するための形態】
【００１３】
以下に、本発明の好ましい実施の形態を、添付の図面に基づいて詳細に説明する。図１は、本発明の実施形態にかかわるファインダー光学系の要部断面図である。図２、図３は本発明の数値実施例１の光路図と収差図である。図４、図５は本発明の数値実施例２の光路図と収差図である。図６、図７は本発明の数値実施例３の一部分の光路図と収差図である。光路図と収差図においてはファインダー視度が０ディオプトリーの時を示している。
【００１４】
図１において、１は液晶表示素子、２は該液晶表示素子を照明するための照明手段、３は前記照明手段からの光を反射して前記液晶表示素子に導き、前記液晶表示素子からの反射光を透過して接眼レンズに導くハーフミラー、４は接眼レンズである。ここで、本実施例では、反射型液晶を想定した構成としているが、表示素子を反射型液晶に限るものではない。
【００１５】
本発明に係る接眼レンズ４は前記表示素子側から順に、負の第１レンズ群と正の第２
レンズ群と負の第３レンズ群を有する接眼レンズであり、下記の条件式を満足することを特徴としたファインダー光学系である。
【００１６】
−３．３＜ｆ１／ｆ＜−１．５  ・・・（１）
−１．３＜ｆ３／ｆ＜−０．７  ・・・（２）
ここで、ｆ１は前記負の第１レンズ群の焦点距離、ｆ３は前記負の第３レンズ群の焦点距離、ｆはファインダー全系の焦点距離を表す。
【００１７】
ここで、上記条件式（１）は前記負の第１レンズ群の焦点距離を規定したものであり、条件式（２）は前記負の第３レンズ群の焦点距離を規定するものである。
【００１８】
これらの条件式はファインダー倍率の高倍率化を実現しながらも、ハイアイポイントを実現ための条件式である。
【００１９】
条件式（１）は高倍率且つハイアイポイントを実現するための条件である。該条件式の下限を超えると前記第１群の屈折力が弱まるため、ハイアイポイントを実現することが困難となる。一方、上限を超えると前記第１群の屈折力が強くなりすぎてしまい、ファインダー全系での前記表示素子側の主点位置が表示素子から離れてしまうため、倍率が低下してしまう。
【００２０】
条件式（２）は高倍率且つハイアイポイントを実現するための条件である。該条件式の下限を超えると前記第３群の屈折力が弱まるため、ファインダー全系での前記表示素子側の主点位置が表示素子から離れてしまう。それにより、倍率が低下してしまう。一方、上限を超えると前記第３群の屈折力が強くなりすぎてしまい、ハイアイポイントを実現することが困難となる。
【００２１】
また、本発明のファインダー系においては前記正の屈折力の第２レンズ群を少なくとも３枚以上の正レンズにより構成している。本発明のファインダー系においては、高倍率およびハイアイポイントを実現するために、第１および第３レンズ群の負の屈折力のレンズ群の屈折力を全系の屈折力に比して強く設定している。そのため、正の屈折力の第２群の屈折力を全系の屈折力に比して強くしなければならない。それにより、倍率色収差、像面湾曲の補正が困難となる。よって、正レンズ群は少なくとも３枚以上の正レンズにより構成する必要がある。
【００２２】
また、本発明のファインダー系において、前記正の屈折力の第２レンズ群の最も第３レンズ群側のレンズは前記表示素子側に凸面を向けた正メニスカスレンズで構成している。該構成にすることにより、ファインダー系全系での前記表示素子側の主点位置をより表示素子側に移動させることが可能となり、高倍率化に有利となる。
【００２３】
また、本発明のファインダー系において、前記負の屈折力の第３レンズ群は１枚の負レンズで構成され、且つ前記表示素子側に凸面を向けた負メニスカスレンズであることを特徴としている。該形状にすることで、ファインダー系全系での前記表示素子側の主点位置をより表示素子側に移動させることが可能となり、高倍率化に有利となる。
【００２４】
次に本発明のファインダー光学系の数値実施例を図２、図４、図６、図８、図１０に示す光学系を基に示す。各実施例において、非球面には面番号の右側に＊印を付けている。非球面は光軸に垂直な高さをＨとし、高さＨにおける光軸方向の変位量をＸ、基準面の曲率半径をＲとし、コーニック定数をＫ、ｎ次の非球面係数をＡｎとしたとき以下の数式で表される。
2016014795.tif 000003
【００２５】
（実施例１）
以下、図２を参照して、本発明の第１の実施例による、ファインダー光学系について説明する。ファインダー光学系は表示素子側から順に負の第１レンズ群、正の第２レンズ群、負の第３レンズ群から構成されており、前記正の第２レンズは３枚の正レンズから構成されている。
【００２６】
単位 mm
面データ
面番号       r        d      nd         vd
1          ∞      23.14                             
2        819.093    1.00   1.72825    28.5           
3         47.904    4.24                             
4       -232.857    4.29   1.72916    54.7           
5        -27.017    0.50                             
6         32.283    5.03   1.65160    58.5           
7        -56.482    0.50                             
8         16.716    4.20   1.65160    58.5           
9         36.687    2.58                             
10         70.972    3.52   1.84666    23.8           
11         11.694   20.00                             
12(アイポイント)    ∞                                
各種データ
視度           0
焦点距離      21.774    
全長          69    
アイポイント  20
（実施例２）
以下、図４を参照して、本発明の第２の実施例による、ファインダー光学系について説明する。ファインダー光学系は表示素子側から順に負の第１レンズ群、正の第２レンズ群、負の第３レンズ群から構成されており、前記正の第２レンズ群は４枚の正レンズから構成されている。該正の第２レンズ群を４枚構成とすることで、像面湾曲、倍率色収差を良好に補正することが可能となる。
【００２７】
単位 mm
面データ
面番号       r        d      nd         vd
1          ∞      23.97                             
2        -60.410    0.99   1.80518    25.4           
3         72.112    0.94                             
4         84.148    4.45   1.72916    54.7           
5        -33.033    0.50                             
6         82.781    3.21   1.72916    54.7           
7        -60.816    0.49                             
8         35.081    2.25   1.80400    46.6           
9         94.414    0.50                             
10         20.982    6.23   1.80400    46.6           
11         36.706    0.51                             
12         37.326    3.00   1.84666    23.8           
13         12.000   20.00                             
14(アイポイント)    ∞
各種データ
視度            0     
焦点距離      21.72    
全長          67.04    
アイポイント  20 
（実施例３）
以下、図６を参照して、本発明の第３の実施例による、ファインダー光学系について説明する。ファインダー光学系は表示素子側から順に負の第１レンズ群、正の第２レンズ群、負の第３レンズ群から構成されており、前記正の第２レンズは４枚の正レンズから構成されている。第３の実施例においてはすべてのレンズをプラスチック材料で構成しており、第１レンズから第４レンズまでの各レンズに１面づつ非球面を設けている。本発明の構成によれば、プラスチック材料を用いた場合でも、高倍率でハイアイポイントなファインダー光学系を提供することが可能となる。
【００２８】
単位 mm
面データ
面番号       r        d      nd         vd
1          ∞      24.29                             
2        -45.610    1.87   1.63200    23.0           
3*        80.058    0.83                             
4*        48.488    5.59   1.53110    56.0           
5        -33.033    0.50                             
6*        82.781    4.60   1.53110    56.0           
7        -30.000    0.43                             
8*        23.696    3.41   1.53110    56.0           
9         94.414    0.50                             
10         17.497    5.70   1.53110    56.0           
11         16.708    3.02                             
12         40.560    2.06   1.63200    23.0           
13         12.000   20.00                             
14(アイポイント)    ∞
非球面データ
第3面
K = 0.00000e+000  A 4= 5.61649e-006  A 6= 7.30011e-009  
第4面
K = 0.00000e+000  A 4= 1.66951e-008  A 6= 9.07961e-009  
第6面
K = 0.00000e+000  A 4=-3.70967e-006  A 6=-1.89264e-008  
第8面
K = 0.00000e+000  A 4=-4.73652e-006  A 6=-3.27193e-011  A 8= 7.26741e-011  A10=-3.37888e-013  
各種データ
視度          0
焦点距離      21.694   
全長          72.8    
アイポイント  20
以上の実施例においては視度調節は行っていないが、前記第２レンズ群の一部もしくは全部を移動させることにより視度調節を行ってもよい。
【００２９】
以下に各実施例における条件式の数値を示す。
【００３０】
【表１】
2016014795.tif 000004
【００３１】
以上、本発明の好ましい実施形態について説明したが、本発明はこれらの実施形態に限定されず、その要旨の範囲内で種々の変形及び変更が可能である。
【符号の説明】
【００３２】
１  液晶表示素子、２  照明手段、３  ハーフミラー、４  接眼レンズ
【図２】
2016014795.tif 000005
【図３】
2016014795.tif 000006
【図５】
2016014795.tif 000007
【図６】
2016014795.tif 000008
【図７】
2016014795.tif 000009
【図１】
2016014795.tif 000010
【図４】
2016014795.tif 000011